(57)【要約】【課題】  部品数の増加により組立工程を複雑にしたり製造コストを上げることなく、リターン時の衝撃により筆記体内で生じる不具合を解消できる複式筆記具を提供する。【解決手段】  先端を開口する軸筒内に複数の筆記体を弾発部材により後方に付勢して収容する。前記筆記体の後端に摺動体をそれぞれ連接する。前記摺動体の操作部を軸筒後方の外周面に設けられる複数の窓孔から径方向外方に突出させる。前記操作部を前方にスライドすることによりいずれか１本の筆記体が前進してペン先を軸筒の先端開口部より突出すると共に、前進位置にある他の筆記体を後退させる。前記摺動体が、筆記体後退時に軸筒の受部に衝合した際に生じる衝撃を吸収緩和する緩衝部を有する。【選択図】  図１
2005111905.tif 000002
【特許請求の範囲】
【請求項１】
先端を開口する軸筒内に複数の筆記体を弾発部材により後方に付勢して収容し、前記筆記体の後端に摺動体をそれぞれ連接し、前記摺動体の操作部を軸筒後方の外周面に設けられる複数の窓孔から径方向外方に突出させ、前記操作部を前方にスライドすることによりいずれか１本の筆記体が前進してペン先を軸筒の先端開口部より突出すると共に、前進位置にある他の筆記体を後退させる複式筆記具であって、前記摺動体が、筆記体後退時に軸筒の受部に衝合した際に生じる衝撃を吸収緩和する緩衝部を有することを特徴とする複式筆記具。
【請求項２】
前記摺動体は、前後方向のバネ性を備えた緩衝部が一体に成形されてなることを特徴とする請求項１記載の複式筆記具。
【請求項３】
前記緩衝部が、薄肉部により形成されることを特徴とする請求項１又は２に記載の複式筆記具。
【発明の詳細な説明】
【技術分野】
【０００１】
本発明は、複式筆記具に関する。更には、リターン時の衝撃によりインキ内へエアが混入することや、シャープペンシル芯が折れることを防止できる複式筆記具に関する。
【背景技術】
【０００２】
従来より、後端に摺動体を連接する複数の筆記体を弾発部材により後方に付勢して軸筒内に収容することで、前方へのスライド操作によりいずれか１本の筆記体のペン先が突出すると共に、前進位置にある他の筆記体が後退する複式筆記具、所謂スライド式の複式筆記具においては、筆記体の後退時（リターン時）に軸筒の受部と摺動体とを衝合させることにより停止させてペン先を収納している。
しかし、前記構造を用いる場合、軸筒の受部と摺動体とが衝合した際に前後方向の強い衝撃を生じるので、前記筆記体が低粘度のインキや剪断減粘性を有するインキを内蔵したものや、インキの後端に高粘度流体（液栓）を配設したボールペンであったり、シャープペンシルである場合には、衝撃によりインキが移動したり、インキ収容管内に空気が混入したり、収容するシャープペン芯が折れてしまうことがあった。
そこで、前記問題を解決するために、シャープペンシルを内蔵する複式筆記具において、リターン時に摺動体と衝合する軸筒後端の受部と摺動体との間に、緩衝部材を設けることで、リターン時の衝撃を緩和し、シャープペンシル芯が折れることを防止する複式筆記具が開示されている（例えば特許文献１）。
【特許文献１】特開平５−２８６８７号公報
【発明の開示】
【発明が解決しようとする課題】
【０００３】
前記特許文献１で開示される複式筆記具は、緩衝部材を介することで、リターン時の衝撃を緩和し、シャープペンシル芯が折れることを防止できるものの、緩衝部材を追加することにより部品数が増加し、構造が複雑化するので、組立工程が複雑となると共に、製造コストが高くなるものである。
【０００４】
本発明は、前記従来の問題点を解決するものであって、部品数の増加により組立工程を複雑にしたり、製造コストを上げることなく、リターン時の衝撃により筆記体内で生じる不具合を解消できる複式筆記具を提供するものである。
【課題を解決するための手段】
【０００５】
本発明は、先端を開口する軸筒内に複数の筆記体を弾発部材により後方に付勢して収容し、前記筆記体の後端に摺動体をそれぞれ連接し、前記摺動体の操作部を軸筒後方の外周面に設けられる複数の窓孔から径方向外方に突出させ、前記操作部を前方にスライドすることによりいずれか１本の筆記体が前進してペン先を軸筒の先端開口部より突出すると共に、前進位置にある他の筆記体を後退させる複式筆記具であって、前記摺動体が、筆記体後退時に軸筒の受部に衝合した際に生じる衝撃を吸収緩和する緩衝部を有することを要件とする。更に、前記摺動体は、前後方向のバネ性を備えた緩衝部が一体に成形されてなること、前記緩衝部が、薄肉部により形成されることを要件とする。
尚、本発明において、「前」とはペン先側を指し、「後」とは摺動体側を指す。
【０００６】
本発明の請求項１の複式筆記具は、リターン時の衝撃により筆記体に生じる不具合を解消できると共に、部品点数の増加や組立工程を複雑にすることなく、従来通りの方法で製造できるものである。
【０００７】
前記複式筆記具は、先端を開口する軸筒内に、複数の筆記体を弾発部材により後方に付勢して収容してなる。前記筆記体の後端には摺動体をそれぞれ連接し、前記摺動体の操作部が軸筒後方の外周面に設けられる複数の窓孔から径方向外方に突出してなる。前記操作部を前方にスライドすることによりいずれか１本の筆記体が前進してペン先を軸筒の先端開口部より突出すると共に、前進位置にある他の筆記体を弾発部材の押力により後退させる構成を有する。前記筆記体が後退する際、摺動体が軸筒に設けられる受部と衝合して停止する。停止する際に、弾発部材による押力を摺動体自体が吸収緩和できるような形状又は材質からなる緩衝部を摺動体に設けることで、収納される筆記体に加わる衝撃を緩和して緩やかに停止できる。
【０００８】
前記摺動体の材質としては、汎用の合成樹脂や金属等、何れであってもよいが、特に、弾性を有する各種熱可塑性エラストマーやゴムを用いて摺動体を成形することにより、摺動体自体が緩衝部となるので、衝合時の衝撃を吸収することが可能になり、収納時に緩やかに停止でき、筆記体への影響を緩和できる。
【０００９】
前記摺動体を、前後方向のバネ性を有する緩衝部を備えるような形状に一体成形することで、組立性に優れ、所望の硬度を有する摺動体が得られる（請求項２）。また、前記摺動体としては、径方向の切欠部又は孔部を設けたものや、前記摺動体の軸筒の受部との当接部と、筆記体連接部との間をクランク形状としたもの等、緩衝部に薄肉部を形成することで容易に得られる（請求項３）。
前者は、径方向に切欠部や孔部を設け、当接部近傍に薄肉部を形成することにより、前記摺動体当接部が軸筒の受部に衝合した際に前記薄肉部が撓み、前後方向の衝撃を吸収緩和する。後者は、前記摺動体の軸筒の受部との当接部と、筆記体連接部との間をクランク形状の薄肉部とすることにより、摺動体の当接部と筆記体との軸方向の位置がずれるので、前記摺動体が軸筒の受部と衝合した際、軸方向に生じる前後方向の衝撃をクランク部で吸収して筆記体への影響を緩和できる。
【００１０】
特に、インキの後端に高粘度流体（液栓）を配設するタイプの筆記具においては、インキ中への空気の混入や高粘度流体の崩れを防止でき、シャープペンタイプの筆記具においては、芯折れを防止できる。
【発明の効果】
【００１１】
本発明により、部品数の増加により組立工程を複雑にしたり、製造コストを上げることなく、リターン時の衝撃により筆記体内で生じる不具合を解消する複式筆記具を提供できる。
【発明を実施するための最良の形態】
【００１２】
本発明の実施の形態について以下の実施例により説明する。
【実施例】
【００１３】
本発明の実施例を以下の図面に従って説明する。
図１乃至図４の複式筆記具１は、リターン時に摺動体３の後端（当接部３１）が軸筒２の受部２１と衝合するタイプのものであり、窓孔２３及び先端開口部２２を有する、前後方向に着脱自在に螺合される軸体２の内部に、ペン先（ボールペンチップ）４１及びインキ収容管４２からなる筆記体４を複数本（３本）前後動可能に収容している。前記筆記体４の後端には摺動体３をそれぞれ接続し、該摺動体３の操作部３３が窓孔２３から突出するように設けられている。また、前記摺動体３は、インキ収容管４２の外径より僅かに大きい内径を有する孔が複数設けられたホルダー６と、摺動体先端（筆記体接続部）との間に配設される弾発部材（スプリング）５により後方に付勢され、摺動体３及び筆記体４の前後方向のがたつきを抑制している。
【００１４】
筆記時には、摺動体３の操作部３３を前方にスライドさせることで、接続される筆記体４のペン先４１が先端開口部２２より突出されると共に、係止部３８が軸筒２内に形成される係止用突起に係止され筆記可能状態となる。前記ペン先４１を収納する際には、他の摺動体を前方にスライドさせることで、該摺動体の押圧用突部３９が外方へ押圧され摺動体３の係止部３８が係止用突起から外れ、摺動体３を後方に付勢する弾発部材５により摺動体３が後方へ押圧されて収納される。その際、当接部３１が軸筒２の受部２１に衝合して停止する。
本実施例ではクリップが軸筒後方に一体に成形されているが、摺動体３（操作部３３）をクリップと一体にすることも可能である。
【００１５】
図２の摺動体３は、当接部３１近傍に径方向の切欠部３４を設け、当接部３１側に緩衝部となる薄肉部３５を形成した樹脂成形物であり、図３の摺動体３は、当接部３１近傍に孔部３６を設け、当接部３１側に薄肉部３５を形成した樹脂成形物である。図２及び図３の複式筆記具は、いずれもリターン時に当接部３１が受部２１と衝合した際に前記薄肉部３５が撓むことで、衝撃を吸収し緩和する。前記切欠部３４や孔部３６の位置や大きさを調節することにより衝撃吸収能を調整できるので、摺動体３の材質や、筆記体４内のインキや高粘度流体の粘度に応じた衝撃吸収能を付与できる。
【００１６】
図４の摺動体３は、軸筒２の受部２１との当接部３１と、筆記体接続部３２との間を、薄肉部３５によりクランク部３７を形成した樹脂成形物である。前記クランク部３７により、摺動体３の当接部３１と、筆記体接続部３２との軸方向の位置がずれるので、リターン時に摺動体３が受部２１と衝合した際に軸方向に生じる衝撃を薄肉部３５が撓むことで吸収して筆記体４への影響を緩和できる。
【００１７】
図５乃至図６の複式筆記具１は、リターン時に摺動体３の前方で軸筒２の受部２１と衝合するタイプのものである。
図５の摺動体３は、摺動体３の当接部３１前方に、径方向の切欠部を対称に設けることにより薄肉部３５を形成した樹脂成形物であり、図６の摺動体３は、当接部３１前方をＳ字状の薄肉部３５とした樹脂成形物である。図５及び図６の複式筆記具は、いずれもリターン時に当接部３１が受部２１と衝合した際に薄肉部３５が撓むことで、衝撃を吸収し緩和する。前記切欠部やＳ字状薄肉部３５の大きさや幅を調節することにより衝撃吸収能を調整できるので、摺動体３の材質や、筆記体４内のインキや高粘度流体の粘度に応じた衝撃吸収能を付与できる。
【図面の簡単な説明】
【００１８】
【図１】本発明の複式筆記具の一実施例を示す縦断面図である。
【図２】図１の要部拡大図である。
【図３】他の実施例を示す縦断面図である。
【図４】他の実施例を示す縦断面図である。
【図５】他の実施例を示す縦断面図である。
【図６】他の実施例を示す縦断面図である。
【符号の説明】
【００１９】
１  複式筆記具
２  軸筒
２１  受部
２２  先端開口部
２３  窓孔
３  摺動体
３１  当接部
３２  接続部
３３  操作部
３４  切欠部
３５  薄肉部（緩衝部）
３６  孔部
３７  クランク部
３８  係止部
３９  押圧用突部
４  筆記体
４１  ペン先
４２  インキ収容管
５  弾発部材
６  ホルダー
【図１】
2005111905.tif 000003
【図２】
2005111905.tif 000004
【図３】
2005111905.tif 000005
【図４】
2005111905.tif 000006
【図５】
2005111905.tif 000007
【図６】
2005111905.tif 000008